(57)【要約】      （修正有）【課題】任意の場所に設置して用いることができるとともに、そのゴール角度の変更も容易に行うことができ、簡易に楽しめる新規かつ有用なる遊具を提供する。【解決手段】適宜長の支柱２上部にゴールリング８を設け、ゴールリング８の回動手段を設けた構成よりなる回動型球用遊具である。なお、ゴールリング８を保持板３を用いて安定保持させ、この保持板３の側面に、雄ねじを有する軸を設け、支柱２上部に設けた貫通孔に軸を挿入通過させ、支柱２側面より突出する該雄ねじに螺合する雌ねじを有するハンドル６を設けることにより、ハンドル６操作にてゴールリング８の角度固定および角度変化を可能としてなる。ゴールリング８にその一端を固着されつつ、該リング中央に向かって突出する鈴保持線を設けるとともに、該保持線適所に鈴を取り付けてなる回動型球用遊具とすることができる。【選択図】図１
0003145171.tif 000002
【実用新案登録請求の範囲】
【請求項１】
適宜長の支柱上部にゴールリングを設け、該ゴールリングの回動手段を設けたことを特徴とする回動型球用遊具。
【請求項２】
ゴールリングを保持板を用いて安定保持させ、この保持板の側面に、雄ねじを有する軸を設け、支柱上部に設けた貫通孔に軸を挿入通過させ、支柱側面より突出する該雄ねじに螺合する雌ねじを有するハンドルを設けることにより、ハンドル操作にてゴールリングの角度固定および角度変化を可能としてなる請求項１記載の回動型球用遊具。
【請求項３】
ゴールリングにその一端を固着されつつ、該リング中央に向かって突出する鈴保持線を設けるとともに、該保持線適所に鈴を取り付けてなる請求項１又は２記載の回動型球用遊具。
【考案の詳細な説明】
【技術分野】
【０００１】  この考案は、地面上方もしくは床面上方に位置する複数のゴールに球を投入して遊ぶための遊具に関する。
【背景技術】
【０００２】  従来より、球を用いる種々の遊びや競技があるが、本案にて示すように、地面上や床面上に備え付けてゴールを上方に位置させ、必要に応じてこのゴール角度を変更可能に設けたものは現在のところ見あたらない。
【考案の開示】
【考案が解決しようとする課題】
【０００３】  球を用いる遊びや競技は以前より多種多様に行われている。例えば、サッカー、野球、ソフトボール、卓球、テニス、バレーボール、バスケットボール、ハンドボール、ラグビー、アメリカンフットボール、ゴルフ、パークゴルフ、ゲートボール、ボーリング、ドッジボール、キャッチボールなどがある。また、球を用いないがバドミントンやカーリングがある。一般にこれらの遊びや競技では特定の用具や設備を用いることが多く、設備は屋内外を問わず特定の場所に設置される。
近年、高齢化社会がクローズアップされ、高齢化に適した社会改革の必要性が認識されつつある。高齢者になって感ずることに一つに肉体の衰退化があり、とりわけ脚部の衰えが顕著である。これをカバーするために歩行やジョギング等も行われているが、脚部を含めた全身の運動が好ましい。しかし、既述のようなスポーツを行うにはその設備のある特定場所に出向く必要があり、また種目によっては肉体的負担が懸念される。
本案は、以上のような従来からの球を用いる遊びや競技に代えて、任意の場所に設置して用いることができるとともに、そのゴール角度の変更も容易に行うことができ、簡易に楽しめる新規かつ有用なる遊具を提供することを目的として開発されたものである。
【課題を解決するための手段】
【０００４】  課題を解決する手段として本案は以下の構成とした。
すなわち、適宜長の支柱上部にゴールリングを設け、該ゴールリングの回動手段を設ける。本案は以上の構成よりなる回動型球用遊具である。なお、ゴールリングを保持板を用いて安定保持させ、この保持板の側面に、雄ねじを有する軸を設け、支柱上部に設けた貫通孔に軸を挿入通過させ、支柱側面より突出する該雄ねじに螺合する雌ねじを有するハンドルを設けることにより、ハンドル操作にてゴールリングの角度固定および角度変化を可能としてなる回動型球用遊具やゴールリングにその一端を固着されつつ、該リング中央に向かって突出する鈴保持線を設けるとともに、該保持線適所に鈴を取り付けてなる回動型球用遊具とすることができる。
【考案の効果】
【０００５】  本案は下記の効果を有する。
１．地面もしくは床面上にピンやボルト等にて固定し、あるいは重量のある基台を用いて  載置する方式のため、設置場所の変更が容易である。
２．ゴールリングの回動と角度固定手段を有するので、プレーヤーの所望のゴールリング  設定ができる。
３．ゴールリングに鈴保持線と鈴を設けることにより、リング内をボールが通過するとき  に発音するので、より趣のある遊びができる。
４．本案装置は広い面積を有する板状部分がないので、風圧の影響を極少とすることがで  きる。
【考案を実施するための最良の形態】
【０００６】  以下、本考案の実施形態について説明する。
図において、１は台板で、所定厚の方形鉄板であり、その四隅近傍に取付孔が穿設される。また、四辺側面には傾斜面が形成される。２は支柱で、断面方形の金属製中空角体であり、その下端は台板中央に固着立設され、上端は該角体断面と同形の板体固着にて覆われている。なお、その上部には貫通孔が穿設される。
３は保持板で、長方形細長板体であり、その中央には軸４の一端が突出固着される。
この軸の他端は雄ねじが刻設され、この雄ねじ部分は前記貫通孔を挿入通過してその一部は支柱側面より突出する。この突出部分には環状のストッパー５が挿入され、ピンにてこのストッパーは軸に固定される。６はハンドルで、その一部に雌ねじが刻設され、前記軸の雄ねじと螺合する。従って、このハンドルをゆるめると保持板角度が自由に変更でき、締めると保持板は支柱に対して角度固定される。
７はゴールである。このゴールはある程度の剛性を有するワイヤーにて形成される。
このワイヤーの中程を丸く巻き、これを繰り返して図のごとく円形のループを形成し、ゴールリング８とする。ワイヤーの重なる部分は適宜部材にて固定され、一方、別のワイヤーをゴールリング下部に直線上に沿わせ、同様にワイヤー間を固定する。各ワイヤー端は前記保持板に固着される。
９は鈴保持線で、ピアノ線などの鋼線が用いられ、ゴールリング内面に三等配にてその一端が固着されて、ゴールリング中心に向かって直線的に突出している。この鈴保持鋼線の中程には適宜支持部材にて鈴１０が取り付けられるとともに、該鋼線先端は丸められて小ループが形成される。【０００７】  本案を使用するには、まず任意に選んだ地面もしくは床面上に本品を設置する。設置時は台板に穿設されている取付孔を利用してボルトやピン等にて取り付ける。ボルトの時は螺合する雌ねじを設け、ピンの時は打ち込みにて行われる。本例では適宜長の棒体下端を先鋭にし、上端を環状に形成したものを用いている。移動時などでピンを抜き取るときは、別の棒体をこの環状部分に挿入し、テコを利用することにて困難なく抜き取ることができる。この設置状態にて地面上に支柱が固定立設し、支柱上部にゴールおよびゴールリングが位置している。利用者はボールを投げ上げてゴールリングに投入して遊ぶことができる。
ゴールは既述のようにワイヤーを主体に形成されており、風があっても風圧の影響を避けることができる。また、ゴールリングには鋼線にて鈴が設けられ、ボール通過時はボールにこの鋼線が接触し、鋼線の弾力にて図７のように鋼線は湾曲する。
ボール投入の勢いにてボールはこの鋼線の弾力に逆らってさらに進行し、やがてボールが抜けることにて鋼線はその復帰力にてもとの形状に戻ろうとし、これが反復動しながら減衰して静止するが、この反復動にて鋼線に設けられている鈴も反復動を起こし、発音する。つまり、ボールがゴールリングを通過するごとに発音がなされてより趣のある遊びとなる。
また、本例ではゴールリングの回動機能を設けているので、ハンドルをゆるめてゴールリングの角度を変え、ハンドルを締めてこの角度固定ができるので、より変化のある遊びを楽しむことができる。
図５〜図６は本案の他例を示すものである。
図５は前例のワイヤーに代えて、金属環を金属棒体に固着して形成したものであり、他の部分は前例同様である。図６は、既述の例のような三連のゴールリングではなく、１個のゴールリングとしたもので、他の部分は前例同様である。【０００８】  以上、本案について記したが、本案は任意の場所への設置およびその移動が容易であり、ゴールリング角度設定が可能であるところにその特徴を有するものである。
また、ゴールリングに鈴を付加することにてその趣に変化を与え、誰でも楽しめる遊具を得ることができる。なお、本品の取付については既述の手段以外に、図２の仮想線にて示すように、コンクリートなどの重量物を用いてブロック体を形成し、このブロック体に支柱を立設固定し、これを地上に載置する方式としてもよい。また、鈴および鈴保持線は、本例で示した三等配以外に二等配や四等配に設けてもよい。本例では鈴保持線先端をループ状に形成したので、ボール通過時のボール損傷を避けることができる。また、軸にストッパーが固定されるので、支柱に対する軸の脱落が防止される。
本案は高齢者の体力維持を主眼として設けたが、老若男女だれでも楽しむことができ、単なる歩行やランニングでは得られない全身の体力と敏捷性を遊びながら強化することができ、その設置場所も自由である。本案は従来のバスケットボールのようなネットがないので、例えば本品の前後に人を配置し、交互にリングを通過させて、ボール投入と受け取りを行って楽しむことができる。また、台板四辺端に傾斜面を設けたので、使用者の足先の台板辺衝突によるつまづきが緩和される。なお、本例で用いた中空角体に代えて筒体を用いてもよい。また、鈴および鈴保持線を省いて構成してもよい。既述の例は本案の実施の一例であり、近似の他の構成としてもよい。
以上のごとく、本案によって利便性に富み、簡易な利用を可能とする有用なる遊具を提供することができる。
【図面の簡単な説明】
【０００９】
【図１】  本考案の正面図（設置状態）
【図２】  本考案の右側面図（設置状態）
【図３】  本考案の要部構造説明図
【図４】  本考案の正面図（設置状態・ゴール角度変更時）
【図５】  本考案の他例正面図
【図６】  本考案の他例正面図
【図７】  本考案の要部機能説明図
【符号の説明】
【００１０】  １    台板
２    支柱
３    保持板
４    軸
５    ストッパー
６    ハンドル
７    ゴール
８    ゴールリング
９    鈴保持線
１０  鈴
１１  環体
１２  接続棒
【図１】
0003145171.tif 000003
【図２】
0003145171.tif 000004
【図３】
0003145171.tif 000005
【図４】
0003145171.tif 000006
【図５】
0003145171.tif 000007
【図６】
0003145171.tif 000008
【図７】
0003145171.tif 000009